(57)【要約】  【課題】  戸が開閉するときに戸が通過する空間を従来より小さくすることができる鳥かごを提供する。  【解決手段】  鳥かご１０は、鳥の飼育空間１０ａの境界を形成する戸３０を備え、戸３０は、枠３１と、枠３１の内部の最も上側に配置された板３２Ａと、枠３１の内部の最も下側に配置されて飼育空間１０ａの内部と外部とを仕切る仕切り板である板３２Ｂと、板３２Ａ及び板３２Ｂの間に配置されて飼育空間１０ａの内部と外部とを仕切る仕切り板である４枚の板３２Ｃと、板３２Ｂ、３２Ｃを上下に並べて吊るす太めの麻糸である２本の吊り紐３３Ａ、３３Ｂとを有している。【選択図】  図１
2008263901.tif 000002
【特許請求の範囲】
【請求項１】
鳥の飼育空間の境界を形成する戸を備え、
前記戸は、前記飼育空間の内部と外部とを仕切る複数枚の仕切り板と、前記複数枚の仕切り板を上下に並べて吊るす吊り紐とを有することを特徴とする鳥かご。
【請求項２】
前記仕切り板は、前記吊り紐が交差している部分で前記吊り紐に支えられていることを特徴とする請求項１に記載の鳥かご。
【請求項３】
前記仕切り板は、下側が前記吊り紐より前記飼育空間側に存在することを特徴とする請求項１又は請求項２に記載の鳥かご。
【請求項４】
前記仕切り板は、使用者の指を掛ける指掛け部を有することを特徴とする請求項１から請求項３までの何れかに記載の鳥かご。
【請求項５】
使用者に引かれるための引き紐を有し、
前記引き紐は、一端が前記仕切り板に固定されていることを特徴とする請求項１から請求項３までの何れかに記載の鳥かご。
【発明の詳細な説明】
【技術分野】
【０００１】
本発明は、鳥を飼育するための鳥かごに関するものである。
【背景技術】
【０００２】
従来の鳥かごとして、開き戸を備えたもの（例えば、特許文献１参照。）や、スライド戸を備えたもの（例えば、特許文献２参照。）が知られている。
【特許文献１】特開平１１−２８５７５７号公報
【特許文献２】実開平６−６１０６２号公報
【発明の開示】
【発明が解決しようとする課題】
【０００３】
しかしながら、従来の鳥かごにおいては、戸が閉じているときに戸が存在する空間（以下「閉時存在空間」という。）の外に、戸が開閉するときに戸が通過する空間（以下「開閉時通過空間」という。）が大きく必要であるという問題がある。
【０００４】
図１６に示すように、開き戸９１を備えた鳥かごにおいては、開き戸９１の閉時存在空間の外に開き戸９１の開閉時通過空間９１ａが大きく必要であるので、開き戸９１が鳥かごの飼育空間の外側に開く場合には、鳥かごの周囲の物が開き戸９１の開閉時通過空間９１ａに存在しないように鳥かごを十分に広い場所に設置しなければならない。一方、開き戸９１が鳥かごの飼育空間の内側に開く場合には、飼育空間の内部の餌入れ容器や水入れ容器などの物が開き戸９１の開閉時通過空間９１ａに存在しないようにしなければならず、飼育空間という狭い空間でのレイアウトが非常に難しい。
【０００５】
図１７に示すように、スライド戸９２を備えた鳥かごにおいては、スライド戸９２の閉時存在空間の外にスライド戸９２の開閉時通過空間９２ａが大きく必要であるので、止まり木などの物がスライド戸９２の開閉時通過空間９２ａに存在しないようにしなければならず、飼育空間という狭い空間でのレイアウトが非常に難しい。
【０００６】
そこで、本発明は、戸の開閉時通過空間を従来より小さくすることができる鳥かごを提供することを目的とする。
【課題を解決するための手段】
【０００７】
本発明の鳥かごは、鳥の飼育空間の境界を形成する戸を備え、前記戸は、前記飼育空間の内部と外部とを仕切る複数枚の仕切り板と、前記複数枚の仕切り板を上下に並べて吊るす吊り紐とを有することが好ましい。
【０００８】
この構成により、本発明の鳥かごは、戸が開かれるときに戸自体が折りたたまれるので、戸の開閉時通過空間を従来より小さくすることができる。
【０００９】
また、本発明の鳥かごの前記仕切り板は、前記吊り紐が交差している部分で前記吊り紐に支えられていることが好ましい。
【００１０】
この構成により、本発明の鳥かごは、仕切り板を支えるための紐を吊り紐とは別に設ける必要がなく、簡単な構成で仕切り板を支えることができる。
【００１１】
また、本発明の鳥かごの前記仕切り板は、下側が前記吊り紐より前記飼育空間側に存在することが好ましい。
【００１２】
この構成により、本発明の鳥かごは、吊り紐が仕切り板に隠されて飼育空間の内側に露出し難いので、飼育空間の内部の鳥によって吊り紐が引っ張られて仕切り板が引き上げられたりすることや、飼育空間の内部の鳥によって吊り紐が切断されたりすることを防止することができる。
【００１３】
また、本発明の鳥かごの前記仕切り板は、使用者の指を掛ける指掛け部を有することが好ましい。
【００１４】
この構成により、本発明の鳥かごは、使用者が戸を開く動作を容易化することができる。
【００１５】
また、本発明の鳥かごは、使用者に引かれるための引き紐を有し、前記引き紐は、一端が前記仕切り板に固定されていることが好ましい。
【００１６】
この構成により、本発明の鳥かごは、使用者が戸を開く動作を容易化することができる。
【発明の効果】
【００１７】
本発明によれば、戸の開閉時通過空間を従来より小さくすることができる鳥かごを提供することができる。
【発明を実施するための最良の形態】
【００１８】
以下、本発明の実施の形態について、図面を用いて説明する。
【００１９】
（第１の実施の形態）
まず、第１の実施の形態に係る鳥かごの構成について説明する。
【００２０】
図１は、本実施の形態に係る鳥かご１０の正面左側からの外観斜視図である。図２は、鳥かご１０の底面図である。図３は、鳥かご１０の側面断面図である。
【００２１】
図１〜図３に示すように、鳥かご１０は、Ｌ字状の脚部２１と、脚部２１によって支持されて鳥の飼育空間１０ａの境界である底面を形成する全体が傾斜した床部２２と、飼育空間１０ａの境界である前後左右の面を形成する壁部のうち鳥かご１０の背面側の壁部を形成する背面壁部２３と、飼育空間１０ａの境界である上面を形成する天井部２４と、鳥かご１０の左側面の一部に配置された戸３０と、飼育空間１０ａの境界である左側面側の壁部、正面側の壁部及び右側面側の壁部を形成する弾性を有するワイヤである弾性ワイヤ４０と、飼育空間１０ａで発生して床部２２の傾斜を伝わって落ちるゴミを受ける位置に配置されたゴミ受け部５１と、脚部２１、床部２２及び天井部２４の位置関係を保持するための円筒形の木製の支柱６０と、脚部２１の底面の四隅にのり付けされた滑り止め用の薄型の透明なゴムパッド７０とを有している。
【００２２】
なお、鳥かご１０は、主に、文鳥や十姉妹などの三角嘴のフィンチ類を飼育するためのものである。また、飼育空間１０ａで発生するゴミとしては、例えば、鳥の糞や羽根、籾殻などがある。
【００２３】
図４は、脚部２１、床部２２、背面壁部２３及び天井部２４の基になる金属の平板２０の平面図である。図４に示すように、脚部２１、床部２２、背面壁部２３及び天井部２４は、アルミニウムなどの金属の平板２０を折り曲げて形成されている。
【００２４】
図１〜図３に示すように、脚部２１は、ゴミ受け部５１を固定するネジ８１のネジ部を通すための２つのネジ用孔２１ａ（図４参照。）と、支柱６０を固定するネジ８２のネジ部を通すためのネジ用孔２１ｂとが形成されている。床部２２は、弾性ワイヤ４０を通すためのワイヤ用孔２２ａが左側面側、正面側及び右側面側の端の近傍に多数並んで形成されて弾性ワイヤ４０を固定する固定部材を構成しているとともに、支柱６０を通すための穴２２ｂが形成されている。床部２２の傾斜は、自然にゴミが落ちるように３０°〜４０°が好ましい。天井部２４は、弾性ワイヤ４０を通すためのワイヤ用孔２４ａが左側面側、正面側及び右側面側の端の近傍に多数並んで形成されて弾性ワイヤ４０を固定する固定部材を構成しているとともに、使用者によって鳥かご１０が持ち上げられるときに使用者の指が挿入されるための４つの持ち手穴２４ｂと、支柱６０を固定するネジ８２のネジ部を通すためのネジ用孔２４ｃとが形成されている。
【００２５】
図５は、戸３０の正面図である。図６は、戸３０の背面図である。図７は、戸３０の側面断面図である。図８は、吊り紐３３Ｂを取り除いた状態での戸３０の正面図である。図９は、吊り紐３３Ｂを取り除いた状態での戸３０の背面図である。
【００２６】
図５〜図９に示すように、戸３０は、枠３１と、枠３１の内部の最も上側に配置された板３２Ａと、枠３１の内部の最も下側に配置されて飼育空間１０ａの内部と外部とを仕切る仕切り板である板３２Ｂと、板３２Ａ及び板３２Ｂの間に配置されて飼育空間１０ａの内部と外部とを仕切る仕切り板である４枚の板３２Ｃと、板３２Ｂ、３２Ｃを上下に並べて吊るす太めの麻糸である２本の吊り紐３３Ａ、３３Ｂとを有しており、飼育空間１０ａの境界を形成している。枠３１は、板３２Ｂ、３２Ｃの水平方向の移動を規制して、板３２Ｂ、３２Ｃを鉛直方向にのみ移動可能にガイドしている。上面側及び底面側の枠３１には、弾性ワイヤ４０を通すためのワイヤ用孔３１ａ（図１参照。）が多数並んで形成されている。板３２Ｂ、３２Ｃは、下側が吊り紐３３Ａ、３３Ｂより飼育空間１０ａ側に存在している。板３２Ａは、ネジ３４によって枠３１に固定されている。板３２Ａ、３２Ｂ、３２Ｃには、吊り紐３３Ａ、３３Ｂを通す吊紐用穴３２ａが形成されている。板３２Ｂ、３２Ｃには、左右方向の中央部分に使用者の指を掛ける指掛け部である窪み３２ｂが形成されている。吊紐用穴３２ａは、板３２Ａには両端部に４個ずつ形成されており、板３２Ｂには両端部に８個ずつ形成されており、板３２Ｃには両端部に１２個ずつ形成されている。吊り紐３３Ａ、３３Ｂは、対称に配置されており、両端部３３ａで板３２Ａに固定されている。吊り紐３３Ａ、３３Ｂは、交差している部分３３ｂで板３２Ｂ、３２Ｃを支えている。
【００２７】
図１に示すワイヤ４０は、鉢を吊るすためなどに使用される園芸用のワイヤであると良い。ワイヤ４０は、ワイヤ用孔を通された後、折り返されて、隣のワイヤ用孔を通されるというように、床部２２のワイヤ用孔２２ａと、天井部２４のワイヤ用孔２４ａと、戸３０のワイヤ用孔３１ａとに通されて、鳥かご１０の左側面側、正面側及び右側面側の壁部を形成している。なお、ワイヤ４０は、端部が金具４１によって固定されている。
【００２８】
図１０は、ゴミ受け部５１の基になる金属の平板５０の平面図である。図１０に示すように、ゴミ受け部５１は、アルミニウムなどの金属の平板５０を折り曲げて形成されている。
【００２９】
図１〜図３に示すように、ゴミ受け部５１は、のりしろ部分５１ａに形成されたネジ用孔５１ｂ（図１０参照。）を通されたネジ８１によって脚部２１に固定されており、鳥かご１０の正面側に配置されて上面が露出している。また、ゴミ受け部５１は、のりしろ部分５１ａの板厚だけ、脚部２１との間にスリット５１ｃが設けられている。スリット５１ｃは、ゴミ受け部５１の下部に開けられた水抜き用の穴を構成している。
【００３０】
支柱６０は、床部２２の穴２２ｂに通されて、上下の端部でネジ８２によって脚部２１及び天井部２４に固定されている。
【００３１】
次に、鳥かご１０の製造方法について説明する。
【００３２】
まず、平板２０及び平板５０は、プレス機によって打ち抜かれ、外形や穴などが形成される。
【００３３】
次いで、外形や穴などが形成された平板２０は、板金工によって立体的に折り曲げられて、脚部２１、床部２２、背面壁部２３及び天井部２４として形成される。同様に、平板５０は、ゴミ受け部５１として形成される。
【００３４】
次いで、脚部２１、床部２２、背面壁部２３、天井部２４、ゴミ受け部５１及び支柱６０は、互いに組みつけられてネジ８１及びネジ８２によって固定される。また、脚部２１の底面の四隅には、ゴムパッド７０がのり付けされる。
【００３５】
なお、戸３０は、板３２Ａ、３２Ｂ、３２Ｃの吊紐用穴３２ａに吊り紐３３Ａ、３３Ｂが通されて板３２Ａ、３２Ｂ、３２Ｃが連結された後、板３２Ａ、３２Ｂ、３２Ｃが枠３１の中に入れられて、ネジ３４によって枠３１及び板３２Ａが固定されることによって製造される。
【００３６】
最後に、床部２２、天井部２４及び戸３０の間が、弾性ワイヤ４０によって編みあげられる。
【００３７】
次に、鳥かご１０の使用方法について説明する。
【００３８】
使用者は、吸水紙をゴミ受け部５１に充填して、吸水紙によってスリット５１ｃを塞いでおく。
【００３９】
飼育空間１０ａ内の鳥が糞をすると、糞は、床部２２の傾斜を伝わって落ちて、ゴミ受け部５１に溜まる。糞以外のゴミについても同様に、床部２２の傾斜を伝わって落ちて、ゴミ受け部５１に溜まる。
【００４０】
使用者は、ゴミ受け部５１を掃除機で掃除したり、ゴミ受け部５１に充填した吸水紙を交換したりすることによって、ゴミ受け部５１に溜まった糞などのゴミを簡単に清掃することができる。
【００４１】
また、使用者は、ゴミ受け部５１に充填した吸水紙を取り除いた状態で、バスルームのシャワーなどによって床部２２に水を流すことによって、床部２２及びゴミ受け部５１を一度に丸ごと洗い流すことができる。床部２２の傾斜を流れた水は、ゴミ受け部５１に入り、ゴミ受け部５１の水抜き用のスリット５１ｃから排出される。
【００４２】
使用者は、飼育空間１０ａに対して鳥や餌などを出し入れする場合、図１１に示すように、板３２Ｂの窪み３２ｂに指を掛けて板３２Ｂ及び板３２Ｃを引き上げることによって、戸３０を開ける。そして、戸３０は、板３２Ｂ、３２Ｃが持ち上げられなくなると、板３２Ｂ、３２Ｃの自重によって自動的に閉まる。
【００４３】
以上に説明したように、鳥かご１０は、板３２Ｂ、３２Ｃを吊り紐３３Ａ、３３Ｂで吊るした構成により、戸３０が開かれるときに戸３０自体が折りたたまれるので、戸３０の開閉時通過空間を従来より小さくすることができる。
【００４４】
また、鳥かご１０は、板３２Ｂ、３２Ｃを吊り紐３３Ａ、３３Ｂで吊るした構成により、新規な美観を提供することができる。
【００４５】
また、鳥かご１０は、吊り紐３３Ａ、３３Ｂが交差している部分３３ｂで板３２Ｂ、３２Ｃを支えているので、板３２Ｂ、３２Ｃを支えるための紐を吊り紐３３Ａ、３３Ｂとは別に設ける必要がなく、簡単な構成で板３２Ｂ、３２Ｃを支えることができる。もちろん、鳥かご１０は、ブラインドのように、吊り紐３３Ａ、３３Ｂとは別に板３２Ｂ、３２Ｃを支えるための横糸を設けて板３２Ｂ、３２Ｃを支える構成であっても良い。
【００４６】
また、鳥かご１０は、図７に示すように板３２Ｂ、３２Ｃの下側が吊り紐３３Ａ、３３Ｂより飼育空間１０ａ側に存在するので、図６に示すように吊り紐３３Ａ、３３Ｂが板３２Ｂ、３２Ｃに隠されて飼育空間１０ａの内側に露出し難い。したがって、鳥かご１０は、飼育空間１０ａの内部の鳥によって吊り紐３３Ａ、３３Ｂが引っ張られて板３２Ｂ、３２Ｃが引き上げられたりすることや、飼育空間１０ａの内部の鳥によって吊り紐３３Ａ、３３Ｂが切断されたりすることを防止することができる。また、鳥かご１０は、飼育空間１０ａの内部の鳥によって吊り紐３３Ａ、３３Ｂが引っ張られて板３２Ｂ、３２Ｃが引き上げられたりすることや、飼育空間１０ａの内部の鳥によって吊り紐３３Ａ、３３Ｂが切断されたりすることを防止することができる。
【００４７】
また、鳥かご１０は、使用者の指を掛ける窪み３２ｂが板３２Ｂ、３２Ｃにあるので、使用者が戸３０を開く動作を容易化することができる。なお、使用者の指を掛ける指掛け部は、窪みである必要はなく、例えば取っ手などであっても良い。
【００４８】
鳥かご１０は、窪み３２ｂが板３２Ｂ、３２Ｃの左右方向の中央部分に設けられているので、使用者が指を掛けて板３２Ｂ、３２Ｃを引き上げるときに板３２Ｂ、３２Ｃのバランスが取れて板３２Ｂ、３２Ｃが左右に傾かない。したがって、鳥かご１０は、使用者が指を掛けて板３２Ｂ、３２Ｃを引き上げるときに板３２Ｂ、３２Ｃが左右に傾いて板３２Ｂ、３２Ｃが枠３１に引っ掛かることがないので、板３２Ｂ、３２Ｃが左右に傾かないように板３２Ｂ、３２Ｃをガイドするガイド装置を備えていなくても良い。
【００４９】
なお、戸３０は、図５〜図９に示す構成以外の構成であっても良い。例えば、戸３０は、吊り紐に板が接着剤によって固定されるなど、図５〜図９に示す構成のように吊り紐が板に編みつけられることによって板が吊り紐に固定される構成でなくても良い。また、戸３０は、吊り紐が板に編みつけられる構成であっても、図５〜図９に示す編み方とは異なる編み方（例えば、図１２〜図１４参照。）によって板が吊り紐に固定される構成であっても良い。
【００５０】
図１２〜図１４に示す編み方にすれば、戸３０は、１本の吊り紐３３で板３６、３７を吊るすことができるし、二重に吊り紐３３を巻きつけた部分３３ｃを設けることによって吊り紐３３が滑り易いナイロン製であっても板３６、３７がずれ難い。
【００５１】
板３５には、穴３５ａ、３５ｂ、３５ｃが左右対称に形成されている。板３６には、穴３６ａ、３６ｂが左右対称に形成されている。板３７には、穴３７ａ、３７ｂ、３７ｃ、３７ｄ、３７ｅ、３７ｆが左右対称に形成されている。
【００５２】
吊り紐３３は、板３５の背面側で固定されて穴３５ａを通されて板３５の正面側に出される。そして、吊り紐３３は、板３７の背面側から穴３７ａを通されて板３７の正面側に出され、次いで穴３７ｂを通されて板３７の背面側に出され、次いで再び穴３７ａを通されて板３７の正面側に出され、次いで再び穴３７ｂを通されて板３７の背面側に出され、次いで穴３７ｃを通されて板３７の正面側に出される。同様に、吊り紐３３は、次々に板３５に編み付けられる。そして、吊り紐３３は、板３６の背面側から穴３６ａを通されて板３６の正面側に出され、次いで穴３６ｂを通されて板３６の背面側に出され、次いで再び穴３６ａを通されて板３６の正面側に出され、次いで再び穴３６ｂを通されて板３６の背面側に出される。そして、吊り紐３３は、穴３７ａ、３７ｂ、３７ｃと同様に穴３７ｄ、３７ｅ、３７ｆを通されて次々に板３７に編み付けられる。そして、吊り紐３３は、板３５の正面側から穴３５ｂを通されて板３５の背面側に出され、次いで穴３５ｃを通されて板３５の正面側に出され、次いで再び穴３５ｂを通されて板３５の背面側に出され、次いで再び穴３５ｃを通されて板３５の正面側に出され、次いで再び穴３５ｂを通されて板３５の背面側に出され、板３５のうち穴３５ｂと左右対称の位置に形成された穴を通されて板３５の正面側に出される。吊り紐３３の編み方は、左右対称であるので、残りの部分は説明を省略する。
【００５３】
（第２の実施の形態）
本発明の第２の実施の形態に係る鳥かごの構成のうち、第１の実施の形態に係る鳥かご１０（図１参照。）の構成と同様な構成については、鳥かご１０の構成と同一の符号を付して詳細な説明を省略する。
【００５４】
図１５は、本実施の形態に係る鳥かごの戸１３０の外観斜視図である。
【００５５】
本実施の形態に係る鳥かごの構成は、戸３０（図１参照。）に代えて戸１３０を鳥かご１０（図１参照。）が備えた構成と同様である。
【００５６】
戸１３０の構成は、枠３１（図１参照。）、板３２Ａ（図１参照。）及び板３２Ｃ（図１参照。）に代えて枠１３１、板１３２Ａ及び板１３２Ｃを戸３０が備え、使用者に引かれるための引き紐１３３と、板３２Ｂに固定された紐１３４と、枠１３１に固定されて紐１３４を引っ掛ける止め具１３５とを戸３０が備えた構成と同様である。
【００５７】
枠１３１の構成は、枠３１の上面の中央部分に引き紐１３３を通す穴１３１ａが開けられた構成と同様である。
【００５８】
板１３２Ａ、１３２Ｃの構成は、板３２Ａ、３２Ｃの左右方向の中央部分に引き紐１３３を通す穴１３２ａが開けられた構成と同様である。
【００５９】
引き紐１３３は、一端が板３２Ｂに固定されて、使用者の指を掛ける輪１３３ａを他端に有し、一端と他端との間の部分が枠１３１の穴１３１ａと、板１３２Ａ、１３２Ｃの穴１３２ａとを通されている。
【００６０】
使用者は、飼育空間１０ａ（図１参照。）に対して鳥や餌などを出し入れする場合、引き紐１３３の輪１３３ａに指を掛けて引き紐１３３を引いて板３２Ｂ及び板１３２Ｃを引き上げることによって、戸１３０を開ける。そして、戸１３０は、板３２Ｂ、１３２Ｃが持ち上げられなくなると、板３２Ｂ、１３２Ｃの自重によって自動的に閉まる。
【００６１】
このように、本実施の形態に係る鳥かごは、使用者に引かれるための引き紐１３３を有しているので、使用者が戸１３０を開く動作を容易化することができる。
【００６２】
本実施の形態に係る鳥かごは、引き紐１３３が板３２Ｂの左右方向の中央部分に固定されているので、使用者が引き紐１３３を引いて板３２Ｂを引き上げるときに板３２Ｂ、１３２Ｃのバランスが取れて板３２Ｂ、１３２Ｃが左右に傾かない。したがって、本実施の形態に係る鳥かごは、使用者が引き紐１３３を引いて板３２Ｂを引き上げるときに板３２Ｂ、１３２Ｃが左右に傾いて板３２Ｂ、１３２Ｃが枠１３１に引っ掛かることがないので、板３２Ｂ、１３２Ｃが左右に傾かないように板３２Ｂ、１３２Ｃをガイドするガイド装置を備えていなくても良い。
【００６３】
なお、使用者は、紐１３４を止め具１３５に引っ掛けることによって、飼育空間１０ａの内部の鳥によって戸１３０が開けられることを防止することができる。
【図面の簡単な説明】
【００６４】
【図１】本発明の第１の実施の形態に係る鳥かごの正面左側からの外観斜視図である。
【図２】図１に示す鳥かごの底面図である。
【図３】図１に示す鳥かごの側面断面図である。
【図４】図１に示す鳥かごの脚部、床部、背面壁部及び天井部の基になる金属の平板の平面図である。
【図５】図１に示す鳥かごの戸の正面図である。
【図６】図５に示す戸の背面図である。
【図７】図５に示す戸の側面断面図である。
【図８】図５に示す戸の正面図であって、吊り紐を一本取り除いた状態での図である。
【図９】図５に示す戸の背面図であって、吊り紐を一本取り除いた状態での図である。
【図１０】図１に示す鳥かごのゴミ受け部の基になる金属の平板の平面図である。
【図１１】図５に示す戸の側面断面図であって、使用者の指によって板が引き上げられている状態での図である。
【図１２】図１に示す鳥かごの戸の図５に示す例とは異なる例での正面図である。
【図１３】図１２に示す戸の背面図である。
【図１４】図１２に示す戸の側面断面図である。
【図１５】本発明の第２の実施の形態に係る鳥かごの戸の斜視図である。
【図１６】従来の鳥かごの開き戸の斜視図である。
【図１７】従来の鳥かごのスライド戸の正面図である。
【符号の説明】
【００６５】
１０  鳥かご
１０ａ  飼育空間
３０  戸
３２Ｂ、３２Ｃ  板（仕切り板）
３２ｂ  窪み（指掛け部）
３３Ａ、３３Ｂ  吊り紐
３３ｂ  部分（交差している部分）
１３０  戸
１３３  引き紐
【図１】
2008263901.tif 000003
【図２】
2008263901.tif 000004
【図３】
2008263901.tif 000005
【図４】
2008263901.tif 000006
【図５】
2008263901.tif 000007
【図６】
2008263901.tif 000008
【図７】
2008263901.tif 000009
【図８】
2008263901.tif 000010
【図９】
2008263901.tif 000011
【図１０】
2008263901.tif 000012
【図１１】
2008263901.tif 000013
【図１２】
2008263901.tif 000014
【図１３】
2008263901.tif 000015
【図１４】
2008263901.tif 000016
【図１５】
2008263901.tif 000017
【図１６】
2008263901.tif 000018
【図１７】
2008263901.tif 000019